(57)【要約】      （修正有）【課題】シート状物収納容器から、シート状物を一枚ずつ確実に送り出せるようにし、かつ、容器内へのゴミやほこり等の侵入を抑制する。【解決手段】シート状物Ｄを積重ねて収納し、スライド部材Ｃを摺動自在に取着したケース本体Ａと、ケース本体に嵌着され、頂壁１０にスライド部材Ｃの移動範囲を決めるスライド孔１３が穿設された蓋体Ｂと、ケース本体と蓋体との間にシート状物Ｄの取出口を備えたシート状物収納容器において、ケース本体は、両側内面にスライド部材Ｃを案内するレール６ａ、６ｂを具備し、スライド部材Ｃは、押圧スライド部２０と、押圧時に変形するスライド板と、レール上面を摺動する脚部とを具備し、スライド部材Ｃ押圧することにより、スライド板がケース本体内方にベンドし、押圧スライド部の下端がシート状物の最上面のシートに当接し、最上面のシート状物を取出口より突出させる。   【選択図】図１
2006151484.tif 000002
【特許請求の範囲】
【請求項１】
シート状物を積重ねて収納し、スライド部材を摺動自在に取着したケース本体と、ケース本体に嵌着され、頂壁にスライド部材の移動範囲を決めるスライド孔が穿設された蓋体と、ケース本体と蓋体との間にシート状物の取出口を備えたシート状物収納容器において、
ケース本体は、両側内面にスライド部材を案内するレールを具備し、
スライド部材は、押圧スライド部と、押圧スライド部から連設され、押圧スライド部を押圧時に変形するスライド板と、スライド板の側端部から垂設され、ケース本体のレール上面を摺動する脚部とを具備し、
スライド部材の押圧スライド部を押圧することにより、スライド板がケース本体内方にベンドし、押圧スライド部の下端がシート状物の最上面のシートに当接し、スライド部材を摺動させることにより、最上面のシート状物を取出口より突出させることを特徴とするシート状物収納容器。   
【請求項２】
スライド部材の押圧前に、スライド部材のスライド板上面が、蓋体の頂壁と当接するとともに、スライド部材の脚部の両側面が、ケース本体の両側内面に当接し、スライド部材を収納容器内で固定することを特徴とする請求項１記載のシート状物収納容器。
【請求項３】
蓋体が、上壁と側壁とからなり、
上壁の後端部が、ケース本体の後壁上端にヒンジを介して取着されていることを特徴とする請求項１、２記載のシート状物収納容器。
【発明の詳細な説明】
【技術分野】
【０００１】
本発明は、シート状物収納容器に関するものである。
【背景技術】
【０００２】
複数枚のシート状物を積重ねて収納し、シート物状を一枚ずつ取出すようにしたシート状物収納容器は、従来より知られている（特許文献１参照）。
【０００３】
上記特許文献１記載の容器は、上蓋体（４）の中央部に窓孔（８）を穿孔し、該窓孔（８）に弾性湾曲部（９ａ）と指押部（９ｃ）を具え、弾性変形自在な肉薄平板状のスライド板（９）を取付け、指押部（９ｃ）を押さえて前方に動かすことで、弾性湾曲部（９ａ）を上方に湾曲させ、指押部（９ｃ）の下面に設けた摩擦材（１０）で最上位にあるシート状物を固定部材から切り離して、抜出孔（３）から押出すようにしている。
【特許文献１】実公昭６２−７１９２号公報
【発明の開示】
【発明が解決しようとする課題】
【０００４】
しかしながら、上記特許文献１記載の容器では、指先で指押部を押圧して取出し操作をするので、最上位のシート状物に、常に一定の押圧力がかかるように操作するためには、注意力が必要であった。
押圧力が大きすぎると、複数枚のシート状物を押出すことがあり、押圧力が弱いと、シート状物を正常に押出せないというおそれがあった。
【０００５】
また、ゴミやほこり、湿気などが上蓋体に設けた窓孔等から容器内部に侵入し、シート状物を汚したり、湿られてしまうこともあった。
【０００６】
本発明は、上記の事情を考慮して、シート状物を収納したケース本体と蓋体からなるシート状物収納容器内に、滑り止めを設けたスライド部材を装着し、スライド部材を押圧操作することで、スライド部材の下端面がケース内のシート状物の上面の一枚に当接し、シート状物を一枚ずつ確実に送り出せるようにし、かつ、スライド部材が容器内へのゴミやほこり等の侵入を抑制するようにしたシート状物収納容器を提供することを目的とする。
【課題を解決するための手段】
【０００７】
本発明は、上記の課題を解決するため、シート状物収納容器として、シート状物を積重ねて収納し、スライド部材を摺動自在に取着したケース本体と、ケース本体に嵌着され、頂壁にスライド部材の移動範囲を決めるスライド孔が穿設された蓋体と、ケース本体と蓋体との間にシート状物の取出口を備えたシート状物収納容器において、ケース本体は、両側内面にスライド部材を案内するレールを具備し、スライド部材は、押圧スライド部と、押圧スライド部から連設され、押圧スライド部を押圧時に変形するスライド板と、スライド板の側端部から垂設され、ケース本体のレール上面を摺動する脚部とを具備し、スライド部材の押圧スライド部を押圧することにより、スライド板がケース本体内方にベンドし、押圧スライド部の下端がシート状物の最上面のシートに当接し、スライド部材を摺動させることにより、最上面のシート状物を取出口より突出させることを特徴とする構成を採用する。   
【０００８】
スライド部材の実施例として、スライド部材の押圧前に、スライド部材のスライド板上面が、蓋体の頂壁と当接するとともに、スライド部材の脚部の両側面が、ケース本体の両側内面に当接し、スライド部材を収納容器内で固定することを特徴とする構成を採用する。
【０００９】
シート状物収納容器の別実施例として、蓋体が、上壁と側壁とからなり、上壁の後端部が、ケース本体の後壁上端にヒンジを介して取着されていることを特徴とする構成を採用する。
【発明の効果】
【００１０】
シート状物を積重ねて収納したケース本体と、ケース本体に嵌着された蓋体と、容器内を摺動するスライド部材とからなるシート状物収納容器において、スライド部材を押圧操作することで、ケース本体に収納されたシート状物の積重ね物の上面にスライド部材の下端面を当接させ、取出口からシート状物を一枚ずつ取出せるようにしたので、最後まで確実に取出すことができる。
また、不使用時には、スライド部材のスライド板が、蓋体の頂壁裏面に当接し、蓋体の頂壁に設けたスライド孔より、ケース本体内にゴミやほこり等が侵入することを防ぐことができる。
【発明を実施するための最良の形態】
【００１１】
次に、本発明のシート状物収納容器ついて、実施例を挙げ、図面を参照して説明する。
【実施例１】
【００１２】
図１、２において、Ａはケース本体、Ｂは蓋体、Ｃはスライド部材、Ｄはシート状物である。
【００１３】
ケース本体Ａは、図１〜３に示すように、前端が上方に傾斜する傾斜前壁１となっている底壁２と、底壁２から立設される後壁３と側壁４ａ、４ｂとを具えている。
傾斜前壁１の端部には、側壁４ａ、４ｂの上端より僅かに低く、シート状物が一枚通過し得る程度に形成された段部５が設けられている。
側壁４ａ、４ｂの内面には、シート状物Ｄの両側に接するようにレール６ａ、６ｂが設けられており、側壁４ａ、４ｂの外面には、嵌合突部７ａ、７ｂが配設されている。
【００１４】
蓋体Ｂは、図２、４に示すように、頂壁１０と、頂壁１０から垂設される内面がケース本体Ａの後壁３外面と衝合する後壁１１と、ケース本体Ａの側壁４ａ、４ｂ外面と衝合する側壁１２ａ、１２ｂとを備えている。
頂壁１０の中央付近には、スライド部材Ｃの可動範囲を決めるスライド孔１３が穿設されている。
側壁１２ａ、１２ｂの内面には、ケース本体Ａの嵌合突部７ａ、７ｂと係合する嵌合凹部１４ａ、１４ｂが配設されている。
【００１５】
ケース本体Ａに蓋体Ｂを嵌着した際には、図１に示すように、ケース本体Ａの段部５と側壁４ａ、４ｂと蓋体Ｂとの間でシート状物が一枚通過し得る程度の取出口１５が形成されている。
【００１６】
スライド部材Ｃは、図２、５に示すように、蓋体Ｂのスライド孔１３内で前後に移動する押圧スライド部２０と、押圧スライド部２０の中央部から連設され、側端部が下方に傾斜する傾斜部２１を具えたスライド板２２と、傾斜部２１の側端部から連設され、下端がケース本体Ａのレール６ａ、６ｂの上面に当接し、摺動する脚部２３ａ、２３ｂとを具えている。
【００１７】
スライド部材Ｃの形状は、図６に示すように、不使用時には、スライド板２２の上面が蓋体Ｂの頂壁１０裏面に当接し、さらに、脚部２３ａ、２３ｂの両側面がケース本体Ａの側壁４ａ、４ｂの内面に当接しており、押圧スライド部２０の押圧時には、押圧スライド部２０とスライド板２２との連設部を支点に変形し、スライド板２２の上面と蓋体Ｂの頂壁１０裏面、さらに脚部２３ａ、２３ｂの両側面とケース本体Ａの側壁４ａ、４ｂの内面との当接が外れるように形成されている。
【００１８】
押圧スライド部２０の上面には、滑り止めのため、横方向に延びる細条、或いは凹凸、その他が設けられている（図示しない）。
押圧スライド部２０の下面には、ゴム等の滑り止め面２４が別部材のインサート成形、接着または塗装などで設けられている。
【００１９】
次に、本実施形態のシート状物収納容器の組立てと、作用効果について説明する。
容器の組立てにあたっては、まず、ケース本体Ａ内にシート状物Ｄが収納される。
シート状物Ｄは、薄いシートを積重ねたもので、図１、２に示すように、ケース本体Ａの底壁２上面に載置され、後壁３と側壁４ａ、４ｂのレール６ａ、６ｂとの間で保持される。
ケース本体Ａのレール６ａ、６ｂの上面にスライド部材Ｃの脚部２３ａ、２３ｂ下端を当接させ、ケース本体Ａにスライド部材Ｃを載置する。
【００２０】
次に、ケース本体Ａに蓋体Ｂを取着する。
その際、蓋体Ｂのスライド孔１３にスライド部材Ｃの押圧スライド部２０の上部が挿入され、スライド板２２の上面が蓋体Ｂの頂壁１０裏面に当接される。
また、ケース本体Ａの嵌合突部７ａ、７ｂに蓋体Ｂの嵌合凹部１４ａ、１４ｂが嵌合されるため、ケース本体Ａが蓋体Ｂから脱落することが防止される。
【００２１】
使用にあたっては、蓋体Ｂ表面側より、手指でスライド部材Ｃの押圧スライド部２０上面を押圧し、押圧スライド部２０下端の滑り止め面２４をシート状物Ｄの最上面のシートＤａに当接させる。
その際、スライド部材Ｃの形状は、図６（ｂ）に示すように、変形し、ケース本体Ａのレール６ａ、６ｂ上端と、スライド部材Ｃの脚部２３ａ、２３ｂ下端との当接だけとなり、スライド部材Ｃは、ケース本体Ａのレール６ａ、６ｂ上を少ない力で摺動できるようになる。
【００２２】
その状態で、スライド部材Ｃのスライド板２２を、下方にベンドさせつつスライド部材Ｃをケース本体Ａのスライド孔１３内で取出口１５方向に摺動させると、シート状物Ｄの両側には、レール６ａ、６ｂの側面が当接しているので、摩擦力が働くことによって摺動が阻止され、滑り止め面２４に当接した最上面のシートＤａだけが取出口１５から、図７に示すように、突出される。
シート状物の使用にあたっては、取出口１５から突出されたシートＤａを指先で摘み、引き出すことができる。
【００２３】
押圧スライド部２０への押圧を外すと、図６（ａ）に示すように、スライド部材Ｃの形状が元の形にもどり、スライド板２２の上面が蓋体Ｂの頂壁１０裏面に当接し、さらに、脚部２３ａ、２３ｂの両側面がケース本体Ａの側壁４ａ、４ｂの内面に当接するようになり、スライド部材Ｃの位置が保持される。
このことで、運搬時に、スライド部材Ｃが収納容器内でがたつくことが防止される。
【００２４】
また、蓋体Ｂの頂壁１０裏面に、スライド部材Ｃのスライド板２２上面と、脚部２３ａ、２３ｂの両側面がケース本体Ａの側壁４ａ、４ｂの内面とが当接していることで、蓋体Ｂのスライド孔１３から収納容器内へのゴミやほこりなどの侵入を防ぐことができる。
【００２５】
繰り返してシートを取り出す際は、まず、押圧スライド部２０を少し押圧し、スライド部材Ｃを変形させつつ、ケース本体Ａのスライド孔１３内を取出口１５の逆方向にスライドし、元の位置に戻す。
次に、押圧スライド部２０を押圧し、押圧スライド部２０下端の滑り止め面２４をシート状物Ｄの新しい最上面のシートＤａに当接させ、取出口１５方向に摺動させることにより、最上面のシートＤａを一枚ずつ取出すことができ、最上面のシートを連続して取出し、シート状物Ｄを最後まで取出口１５から突出させることができる。
【００２６】
シート状物Ｄをすべて使い終わったら、蓋体Ｂとケース本体Ａとの嵌合を外して蓋体Ｂを開蓋し、スライド部材Ｃをケース本体Ａから外し、ケース本体Ａ内部に新しいシート状物Ｄを詰め替え、再度、ケース本体Ａにスライド部材Ｃを載置し、蓋体Ｂを嵌合すると、再度使用することができる。
【実施例２】
【００２７】
次に、実施例１のケース本体と蓋体とをヒンジを介して連設した第２実施例について説明をする。
実施例１では、ケース本体Ａと蓋体Ｂを別部材で形成し、ケース本体Ａに蓋体Ｂを上方より被せて嵌着したが、蓋体をケース本体にヒンジで取着するようにしてもよい。
【００２８】
図８において、Ａａはケース本体、Ｂａは蓋体、Ｅはヒンジであり、蓋体Ｂａは、上壁１０と側壁１２ａ、１２ｂとからなっている。
蓋体Ｂａの上壁１０の後端は、ケース本体Ａａの後壁３の上端部にヒンジＥを介して取着されている。
ケース本体Ａａの内部構造、蓋体Ｂａの内部構造、スライド部材Ｃとシート状物は、実施例１の構造と同様である。
【００２９】
シート状物の収納にあたっては、蓋体Ｂａを、ヒンジＥを軸として廻動することによって閉蓋することができる。
【００３０】
また、本実施例は、ケース本体Ａａと蓋体Ｂａとを一体成形することができ、また、シート状物Ｄの詰め替え時に、蓋体Ｂａが行方不明になったり、紛失することがなくなるという作用効果を得ることができ、その他は実施例１と同様の作用効果を得ることができる。
【産業上の利用可能性】
【００３１】
ケース本体の蓋体に取着したスライド部材を押圧操作することで、ケース本体に収納されたシート状物の積重ね物の上面にスライド部材の下面を当接させ、取出口からシート状物を一枚ずつ取出し、最後まで確実に押出すことができ、シート状物の詰替えも簡単にできるようになった。
【００３２】
本発明のシート状物収納容器の構成は、各種のシート状物品の携帯用小型容器にも適用することができる。
【図面の簡単な説明】
【００３３】
【図１】本発明第１実施例のシート状物収納容器の説明図で、（ａ）は上面図、（ｂ）は断面側面図である。
【図２】シート状物収納容器の分解斜視図である。
【図３】ケース本体の説明図で、（ａ）は上面図、（ｂ）は側面図である。
【図４】蓋体の説明図で、（ａ）は上面図、（ｂ）は側面図である。
【図５】スライド部材の説明図で、（ａ）は上面図、（ｂ）は側面図、（ｃ）は正面図である。
【図６】シート状物収納容器の断面図で、（ａ）はスライド部材押圧前の断面図、（ｂ）はスライド部材押圧後の断面図である。
【図７】シート状物収納容器のシート取り出し時の斜視図である。
【図８】本発明第２実施例のシート状物収納容器説明図で、（ａ）は斜視図、（ｂ）は側面図である。
【符号の説明】
【００３４】
Ａ、Ａａ      ケース本体
Ｂ、Ｂａ      蓋体
Ｃ            スライド部材
Ｄ            シート状物
Ｄａ          最上面のシート
Ｅ            ヒンジ
１            傾斜前壁
２            底壁
３            後壁
４ａ、４ｂ    側壁
５            段部
６ａ、６ｂ    レール
７            嵌合突部
１０          頂壁
１１          後壁
１２ａ、１２ｂ  側壁
１３          スライド孔
１４ａ、１４ｂ  嵌合凹部
１５          取出口 
２０          押圧スライド部
２１          傾斜部
２２          スライド板
２３ａ、２３ｂ  脚部
２４          滑り止め面
【図１】
2006151484.tif 000003
【図２】
2006151484.tif 000004
【図３】
2006151484.tif 000005
【図４】
2006151484.tif 000006
【図５】
2006151484.tif 000007
【図６】
2006151484.tif 000008
【図７】
2006151484.tif 000009
【図８】
2006151484.tif 000010